(57)【要約】【課題】サーバに画像処理の機能を持たせ、プリント装置での操作時間とを少なくし、利用回転効率の高いプリントシステムを提供すること。【解決手段】カメラ付き通信装置と、プリント装置と、サーバとを備えたプリントシステムであって、前記サーバが、前記カメラ付き通信装置からの指令により、送信された画像データを拡大・縮小する機能、送信された画像データと前記サーバに保存された画像データとを合成する合成機能、及び、複数の画像データをレイアウトするレイアウト機能を有すると共に、これらの画像データを前記プリント装置に送信する機能、及び、当該プリント装置の前記表示手段への表示と前記プリント手段への出力とを指令する機能を有することを特徴とするプリントシステム。【選択図】        図２
2004240737.tif 000002
【特許請求の範囲】
【請求項１】
撮影手段と通信手段とを備えたカメラ付き通信装置と、
入力手段、表示手段、及びプリント手段を備え、該入力手段に画像情報を入力して記録媒体上に出力するネットワーク接続されたプリント装置と、
該カメラ付き通信装置及び該プリント装置との間で通信を行う通信手段を備えたサーバと、
を有するプリントシステムであって、
該サーバは、前記カメラ付き通信装置で撮影された画像情報をプリント出力する際の出力条件を設定する設定手段を有することを特徴とするプリントシステム。
【請求項２】
前記カメラ付き通信装置により撮影された画像情報のプリント出力条件を、該カメラ付き通信装置と前記サーバとの通信により設定し、該サーバは該設定により注文受付ＩＤを発生するものであって、
該プリント装置と該サーバとの間で該注文受付ＩＤを介して通信が行われたとき、設定されたプリント出力条件に基づいて該プリント装置より該画像情報が出力されることを特徴とする請求項１に記載のプリントシステム。
【請求項３】
前記プリント装置が証明写真撮影装置であることを特徴とする請求項１または２に記載のプリントシステム。
【請求項４】
前記サーバは、前記画像情報を記録媒体上に出力させる際の複数のレイアウト情報を有し、前記設定手段は、該複数のレイアウト情報より任意の情報を選択して記録媒体上への出力条件を設定することを特徴とする請求項１乃至３のいずれか１項に記載のプリントシステム。
【請求項５】
前記注文受付ＩＤは、チェックデジットを有し、前記プリント装置に前記注文受付ＩＤと出力指示とが入力されたとき、当該注文受付ＩＤと当該出力指示の情報とが前記プリント装置から前記サーバに送信される前に、前記プリント装置に備えてあるチェック手段により前記チェックデジットの内容をチェックするように構成したことを特徴とする請求項１乃至４のいずれか１項に記載のプリントシステム。
【請求項６】
前記注文受付ＩＤには発行日付または料金情報が含まれていることを特徴とする請求項１乃至５のいずれか１項に記載のプリントシステム。
【請求項７】
前記注文受付ＩＤが数字、英字、またはバーコードにより構成されていることを特徴とする請求項１乃至６のいずれか１項に記載のプリントシステム。
【請求項８】
前記プリント装置に読取装置を配設し、前記カメラ付き通信装置または携帯電話機の表示部に表示した前記注文受付ＩＤを前記読取装置で直接読み取り、当該注文受付ＩＤに対応する画像データを前記プリント装置の前記表示手段またはプリント手段にダウンロードすることを特徴とする請求項１乃至７のいずれか１項に記載のプリントシステム。
【請求項９】
前記プリント装置に赤外線通信装置を配設し、赤外線通信機能を有する、カメラ付き通信装置または携帯電話機から赤外線送信された前記注文受付ＩＤに対応する画像データを前記プリント装置の前記赤外線通信装置を介して、前記表示手段またはプリント手段にダウンロードすることを特徴とする請求項１乃至７のいずれか１項に記載のプリントシステム。
【発明の詳細な説明】
【０００１】
【発明の属する技術分野】
本発明はカメラ付き通信装置とプリント装置とサーバよりなるプリントシステムに関し、詳しくは、プリント出力条件によるプリント装置への負荷を軽減させたプリントシステムに関わる。
【０００２】
【従来の技術】
カメラ付き携帯電話のような撮影装置で撮影した画像データを、通信回線を介して直接或いは間接的にプリント装置に送信し、記録媒体上にプリント出力を行う画像処理システムが提案されている（例えば、特許文献１）。
【０００３】
特許文献１に開示されたシステムは、不特定多数のユーザを対象に大規模なサーバを使用するもので、ユーザが撮影した画像データを、一度サーバに送信した後サーバを経由して、プリント装置より出力するものである。
【０００４】
【特許文献１】
特開平１１−５５６０７号公報（第６〜７頁、第１０図）
【０００５】
【発明が解決しようとする課題】
しかしながら、画像データの拡大・縮小、または合成などのプリント出力用の画像処理機能をプリント装置に付与すると、プリント装置の制御部のメモリ容量を大きくしなければならず、プリント装置のコスト高を招いた。
【０００６】
また、プリント装置制御部のメモリ内に記憶したプログラムの呼び出しに時間を要する等、プリント装置の操作時間を増大させた。
【０００７】
更に、ユーザがプリント装置で操作を開始するまで、プリント出力用の画像処理が行われないので、一人のユーザによるプリント装置占有時間が長くなり、プリント装置の利用回転効率を悪化させていた。
【０００８】
【課題を解決するための手段】
本発明者らは、サーバに画像処理の機能を持たせることにより、プリント装置での機能を少なくしてプリント装置の制御部への負荷を低減させると共に、プリント装置でのユーザの操作時間を短くしてプリント装置の占有を緩和し、他のユーザが待たずにプリント装置を利用できるようにした、利用回転効率の高いプリントシステムの提供を可能にした。
【０００９】
上記目的は下記の構成により達成される。
（１）撮影手段と通信手段とを備えたカメラ付き通信装置と、
入力手段、表示手段、及びプリント手段を有し、該入力手段に画像情報を入力して記録媒体上に出力するネットワーク接続されたプリント装置と、
該カメラ付き通信装置及び該プリント装置との間で通信を行う通信手段を備えたサーバと、
を有するプリントシステムであって、
該サーバは、前記カメラ付き通信装置で撮影された画像情報をプリント出力する際の出力条件を設定する設定手段を有することを特徴とするプリントシステム。
【００１０】
（２）前記カメラ付き通信装置により撮影された画像情報のプリント出力条件を、該カメラ付き通信装置と前記サーバとの通信により設定し、該サーバは該設定により注文受付ＩＤを発生するものであって、
該プリント装置と該サーバとの間で該注文受付ＩＤを介しての通信が行われたとき、設定されたプリント出力条件に基づいて該プリント装置より該画像情報が出力されることを特徴とする（１）に記載のプリントシステム。
【００１１】
（３）前記プリント装置が証明写真撮影装置であることを特徴とする（１）または（２）に記載のプリントシステム。
【００１２】
（４）前記サーバは、前記画像情報を記録媒体上に出力させる際の複数のレイアウト情報を有し、前記設定手段は、該複数のレイアウト情報より任意の情報を選択して記録媒体上への出力条件を設定することを特徴とする（１）乃至（３）のいずれか１項に記載のプリントシステム。
【００１３】
（５）前記注文受付ＩＤは、チェックデジットを有し、前記プリント装置に前記注文受付ＩＤと出力指示とが入力されたとき、当該注文受付ＩＤと当該出力指示の情報とが前記プリント装置から前記サーバに送信される前に、前記プリント装置に備えてあるチェック手段により前記チェックデジットの内容をチェックするように構成したことを特徴とする（１）乃至（４）のいずれか１項に記載のプリントシステム。
【００１４】
（６）前記注文受付ＩＤには発行日付または料金情報が含まれていることを特徴とする（１）乃至（５）のいずれか１項に記載のプリントシステム。
【００１５】
（７）前記注文受付ＩＤが数字、英字、またはバーコードにより構成されていることを特徴とする（１）乃至（６）のいずれか１項に記載のプリントシステム。
【００１６】
（８）前記プリント装置に読取装置を配設し、前記カメラ付き通信装置または携帯電話機の表示部に表示した前記注文受付ＩＤを前記読取装置で直接読み取り、当該注文受付ＩＤに対応する画像データを前記プリント装置の前記表示手段またはプリント手段にダウンロードすることを特徴とする（１）乃至（７）のいずれか１項に記載のプリントシステム。
【００１７】
（９）前記プリント装置に赤外線通信装置を配設し、赤外線通信機能を有する、カメラ付き通信装置または携帯電話機から赤外線送信された前記注文受付ＩＤに対応する画像データを前記プリント装置の前記赤外線通信装置を介して、前記表示手段またはプリント手段にダウンロードすることを特徴とする（１）乃至（７）のいずれか１項に記載のプリントシステム。
【００１８】
【発明の実施の形態】
図１は本発明の実施の形態に係わるプリントシステムの一例を示すブロック図である。
【００１９】
図１に示すように、このプリントシステムは、プリント装置を兼ねる証明写真撮影装置１００、サーバ２００、及び、カメラ付き通信装置である電子カメラ付き携帯電話機（以下、単に、カメラ付き携帯電話ともいう。）３００等から構成されている。
【００２０】
カメラ付き携帯電話３００は、撮影機能と、撮影した画像情報（以下、画像データともいう。）をサーバ２００との間で送受信する機能と、サーバ２００内に一旦保存した画像データを証明写真撮影装置１００から出力するためのプリント条件の設定及び画像処理の指令をサーバに通信できる通信機能と、サーバ２００から通信された文字や画像データを表示する表示機能と、を有する。ここでいうプリント条件の設定及び画像処理の内訳としては、画像データのサイズの設定、拡大・縮小、他の画像データとの合成、複数の画像データを組み合わせるレイアウトの作成、及びプリント枚数の設定、等が挙げられる。
【００２１】
サーバ２００及び証明写真撮影装置１００の構成及び動作については、後で詳しく説明する。
【００２２】
ユーザは、カメラ付き携帯電話３００で撮影した画像データを証明写真撮影装置１００を利用してプリントするため、カメラ付き携帯電話３００からサーバ２００にアクセスして画像データを送信すると共に、画像を完成させるために、必要に応じて、サイズの設定、拡大・縮小、合成、レイアウト、及びプリント枚数の設定等のプリント条件を設定して、そのデータをサーバ２００に送信する。サーバ２００は、サーバ２００内で画像を処理し完成させ、完成した画像に対応する注文受付ＩＤを発行しカメラ付き携帯電話３００に送信する。
【００２３】
ユーザは、サーバ２００からカメラ付き携帯電話３００に注文受付ＩＤを受信した後であれば、所定の証明写真撮影装置１００内に立ち入って注文受付ＩＤを入力することにより、画像データを出力（プリントアウト）することができる。
【００２４】
また、このプリントシステムにおいては、カメラ付き携帯電話３００で撮影した画像データ以外に、証明写真撮影装置１００で撮影された顔画像情報を、ＰＨＳ通信網やインターネット回線を介してサーバ２００に送り記憶保管することも可能である。
【００２５】
このように、本発明では、カメラ付き携帯電話３００で撮影した画像データを、証明写真撮影装置１００内に記憶、保管せず、サーバ２００に記憶、保管するため、ユーザのプライバシーを保護することができる。
【００２６】
ユーザは、必要に応じて、カメラ付き携帯電話３００を用いてサーバ２００にアクセスし、過去に撮影し保管した注文ＩＤ付きの画像データを利用することができ、その画像データと新規に撮影した画像データとを組み合わせて複数の画像データをレイアウトしたり合成したりすることができる。また、サーバ２００のメモリ部に予め固定画像データを保存させておき、撮影した画像データとを組み合わせて合成することも可能である。
【００２７】
図２は本発明に係るサーバの構成を説明するためのブロック図である。
サーバ２００は、サーバ送受信部２１０、データ圧縮伸長部２２０、メモリ部２３０、画像処理部２４０、注文受付ＩＤ発行部２５０、及びサーバ制御部２６０等により構成される。
【００２８】
サーバ２００内の各部の機能について、以下に説明する。
サーバ送受信部２１０は、カメラ付き携帯電話３００から送信された、画像データと前記プリント条件データとを受信しサーバ制御部２６０へ送る。データ圧縮伸長部２２０は、サーバ制御部２６０からの指令により、画像データの圧縮及び伸長を行う。メモリ部２３０は、サーバ制御部２６０からの指令により、画像データをメモリ部２３０内に保存する。画像処理部２４０は、サーバ制御部２６０からの指令により、サイズの設定、拡大・縮小、他の画像データとの合成、及びレイアウトの作成等の画像処理を行う。注文受付ＩＤ発行部２５０は、サーバ制御部２６０からの指令により、注文受付ＩＤを発行する。サーバ制御部２６０は、サーバ送受信部２１０、データ圧縮伸長部２２０、メモリ部２３０、画像処理部２４０、及び注文受付ＩＤ発行部２５０の動作を制御する。
【００２９】
次に、サーバ２００内の各部の動作について、以下に説明する。
サーバ送受信部２１０が受信した画像データとプリント条件データとは、サーバ制御部２６０を介して画像処理部２４０に送られる。この他、必要に応じて、メモリ部２３０に予め保存されている他の撮影画像データや固定画像データが、サーバ制御部２６０からの指令により、画像処理部２４０に送られる。
【００３０】
画像処理部２４０は、サーバ制御部２６０からの指令を受け、送られたプリント条件データに基づいて、送られた画像データ、他の撮影画像データ、または固定画像データの画像処理を行う。画像処理を終えた画像データは、サーバ制御部２６０を介してデータ圧縮伸長部２２０に送られ圧縮され、更に、メモリ部２３０に送られ、保存される。また、圧縮された画像は、サーバ制御部２６０からの指令により、サーバ送受信部２１０を介して、カメラ付き携帯電話３００に送信される。
【００３１】
一方、注文受付ＩＤ発行部２５０には、サーバ制御部２６０を介して、プリント条件データに対応する画像データを受け、当該画像データに対応する注文受付ＩＤを発行し、サーバ制御部２６０に送る。サーバ制御部２６０は、サーバ送受信部２１０に指令を発し、当該注文受付ＩＤを前記圧縮された画像と共に、カメラ付き携帯電話３００に送信する。また、サーバ制御部２６０は、当該注文受付ＩＤをメモリ部２３０に送り、保存させる。
【００３２】
図３は、カメラ付き携帯電話とサーバとの間における画像データ及び信号の送受信についての動作を説明するためのフローチャートである。
【００３３】
図３に示すように、ユーザは、始めにカメラ付き携帯電話３００を用いてサーバ２００にアクセスする（Ｓ１）。次に、画像データをプリント出力するかどうかをカメラ付き携帯電話３００を用いて選択し（Ｓ２）、プリント出力するときはステップＳ３に進み、プリント出力しないときにはステップＳ９に進む。プリント出力するときは、カメラ付き携帯電話３００を用いて、画像データとそのプリント条件とをサーバ２００に送信する（Ｓ３）。サーバ２００内のサーバ制御部２６０は、画像処理部２４０に指令を発し、前記プリント条件に基づいて送信された画像データの画像処理を行わせて画像を完成させ、かつ、注文受付ＩＤ発行部２５０に指令を発し、当該画像に対応する注文受付ＩＤを発行させると共に、当該画像と当該画像に対応する注文受付ＩＤとをカメラ付き携帯電話３００に送信する（Ｓ４）。サーバ制御部２６０は、完成させた画像をデータ圧縮伸長部２２０に送り、圧縮させ、更に、圧縮した画像をデータ圧縮伸長部２２０から取り出してメモリ部２３０に送り、対応する注文受付ＩＤと共に保存させる（Ｓ５）。ユーザは、カメラ付き携帯電話３００で受信した画像と注文受付ＩＤとを確認し、問題が無ければ受領し（Ｓ６）、ステップＳ７に進む。問題があればステップＳ３に戻り、プリント条件を再設定する。サーバ制御部２６０は、送信した画像と注文受付ＩＤとをメモリ部２３０に保存させる（Ｓ７）。ステップＳ２において、ユーザが画像データのプリント出力を希望しないときにはステップＳ９に進む。サーバ制御部２６０は、画像データをサーバのメモリ部２３０に保存させる（Ｓ８）。サーバ制御部２６０は、注文受付ＩＤ発行部２５０に指令を発し、保存する画像データに対応する注文受付ＩＤを発行させ、サーバ送受信部２１０を介して当該注文受付ＩＤをカメラ付き携帯電話３００に送信させる（Ｓ９）。
【００３４】
図４は本発明に係るプリント装置の実施の形態として、証明写真撮影装置の概略の構成を示す正面断面図である。証明写真撮影装置１００は無人で主として野外、または駅、スーパー等の大型建造物内に設置され、各種証明用写真を得ることができる。
【００３５】
証明写真撮影装置１００は、装置入口１０１、椅子１０２、撮影手段１１０、入力手段１２０、表示手段１３０、料金支払い手段１４０、プリント手段１５０、通信手段１６０、音声手段１７０、記憶手段１８０、及び制御手段１９０等により構成される。
【００３６】
装置入口１０１は証明写真撮影装置１００に設けられたユーザが入るための入口であり、椅子１０２はユーザが撮影のために座る椅子である。
【００３７】
撮影手段１１０は、撮影カメラ１１１、主照明部１１２ａ、補助照明部１１２ｂ、１１２ｃ、撮影表示窓１１３、ハーフミラー１１４等で構成され、主照明部１１２ａ、補助照明部１１２ｂ、１１２ｃでユーザを照明して撮影カメラ１１１により撮影表示窓１１３を通してユーザの顔を撮影する手段である。撮影カメラ１１１としてはビデオカメラ、デジタルカメラ等を利用することができ、デジタルカメラを利用することが好ましい。
【００３８】
入力手段１２０は、矢印キーとボタンとの組み合わせ、テンキー、或いはタッチパネル等で構成され、ユーザの受付、画像データのプリント出力か写真撮影かのサービスの選択、証明写真の種類の選択、暗証番号、及びＩＤ番号の入力といった機能を有し、受付機能と情報入力機能とを兼ね備えている。
【００３９】
表示手段１３０はＣＲＴや液晶等を用いた表示装置であり、当該表示手段１３０により表示された画像データや各種案内表示等の表示内容をハーフミラー１３１で屈曲させ、撮影表示窓１１３より、撮影位置の確認表示、仮撮影の顔画像確認表示、及び各種案内表示等がなされる。また、記憶手段１８０から送られてきた画像データのプリントを行う場合、ユーザが注文受付ＩＤを入力することにより、対応する１個の画像データか、複数の画像データをレイアウトした画像、或いは合成した画像が撮影表示窓１１３に表示され、更には文字による各種案内表示等が表示され、画像の確認ができる構成となっている。
【００４０】
料金支払い手段１４０は、料金支払い口１４１より料金の支払いができる手段であり、支払いには、硬貨、紙幣の他、例えば、クレジットカード、プリペイドカード、デビットカード、携帯電話による課金サービス等による支払い等、貨幣代替物による支払いを受けることが可能である。
【００４１】
プリント手段１５０は、記憶手段１８０に送られてきた画像データやプリント条件の情報を受けてプリントする画像データプリントと、撮影手段１１０による顔画像情報に基づく顔画像プリントとを出力する手段であり、プリント取出口１５１よりプリント画像を取り出す。プリント取出口１５１は、実施の形態では装置内に設けているが、証明写真撮影装置１００の外に設けることも可能である。
【００４２】
通信手段１６０はアンテナ１６１より無線でサーバ２００との通信を行い、サーバ２００から送信された画像データやプリント条件の情報を受信する手段である。音声手段１７０はスピーカ１７１より操作手順、注意事項等を音声でユーザにつたえる手段である。記憶手段１８０は、通信手段１６０がサーバ２００から受信した画像データやプリント条件の情報を記憶する手段である。通信手段１６０には特に制限はなく、ＰＨＳ、携帯電話、モデム等を利用することができるが、通信コスト、通信速度の点でＰＨＳ、携帯電話を用いることが好ましく、ＰＨＳを用いることが最も好ましい。これら通信手段を利用して直接サーバに接続することも可能であるが、インターネット、パソコン通信を介して接続することも可能である。ＰＨＳ、携帯電話を用いて顔画像情報を直接サーバに送信すると、情報の盗聴や改変等の危険が減少し、好ましい。
【００４３】
制御手段１９０は、撮影手段１１０、入力手段１２０、表示手段１３０、料金支払い手段１４０、プリント手段１５０、通信手段１６０、音声手段１７０、及び記憶手段１８０の各部の動作を制御する手段である手段である。
【００４４】
次に、実施の形態に係わる証明写真撮影装置の電気的構成について説明する。図５は本発明の実施の形態に係わる証明写真撮影装置の電気的な構成を示すブロック図である。図５に示すように、電気関係ブロック５００は、制御手段１９０、撮影手段１１０、入力手段１２０、表示手段１３０、料金支払い手段１４０、プリント手段１５０、通信手段１６０、音声手段１７０、及び記憶手段１８０等で構成されている。
【００４５】
制御手段１９０は証明写真撮影装置１００をシーケンシャルに制御し、また、撮影手段１１０、入力手段１２０、表示手段１３０、料金支払い手段１４０、プリント手段１５０、通信手段１６０、音声手段１７０、及び記憶手段１８０等の各ブロックを制御する。なお、記憶手段１８０には制御手段１９０が各ブロックの制御を実施するための制御プログラムも格納されている。
【００４６】
次に、証明写真撮影装置の主要動作について図４、図５および図６を参照して説明する。なお、図６は本発明の実施の形態に係わる証明写真撮影装置の主要動作のフローチャートである。
【００４７】
最初に、ユーザは、写真撮影サービスを希望するのか、サーバ２００から送信された画像データのプリントサービスを希望するのかを選択し、入力手段１２０を用いて入力する（Ｓ５１）。
【００４８】
ユーザが写真撮影サービスを選択した場合はステップＳ５２へ進み、ステップＳ５２で撮影条件（カラー／白黒の区分、レイアウト、サイズの選択等）を決定し入力手段１２０を用いて入力する。表示手段１３０または音声手段１７０により通知された料金を料金支払い手段１４０を用いて支払う（Ｓ５３）。料金の過不足が制御手段１９０によりチェックされ（Ｓ５４）、料金が不足しているときは、表示手段１３０または音声手段１７０によりユーザに料金不足の通知があり、ステップＳ５３へ戻り、ユーザは不足分の料金を支払う。表示手段１３０または音声手段１７０からの案内により写真撮影をする（Ｓ５５）。表示手段１３０に確認用の画像が表示される（Ｓ５６）。写真撮影の画像がプリント手段１５０によりプリントされ取り出し口１５１に排出される（Ｓ５７）。
【００４９】
ユーザが画像データのプリントサービスを選択した場合はステップＳ５８へ進み、ステップＳ５８で入力手段１２０を用いて注文受付ＩＤを入力する。入力された注文受付ＩＤは、証明写真撮影装置１００の制御手段１９０により間違いが無いかをチェックされる（Ｓ５９）。入力された注文受付ＩＤに間違いがあれば表示手段１３０または音声手段１７０によりユーザに注文受付ＩＤ入力ミスの通知があり、ユーザはステップＳ５８へ戻り、注文受付ＩＤの入力をやり直す。入力に間違いが無ければステップＳ６０へ進み、表示手段１３０または音声手段１７０により通知された料金を料金支払い手段１４０を用いて支払う（Ｓ６０）。料金の過不足が制御手段１９０によりチェックされ（Ｓ６１）、料金が不足しているときは、ユーザに不足の通知があり、ステップＳ６０へ戻り、ユーザは不足分の料金を支払う。注文受付ＩＤに応じた画像データが表示手段１３０に確認用の画像として表示される（Ｓ６２）。画像データがプリント手段１５０によりプリントされ取り出し口１５１に排出される（Ｓ６３）。
【００５０】
なお、本実施の形態では、写真撮影及び画像データのプリントの両方のサービスにおいて、料金支払い後の表示手段１３０による画像確認の後、直ちにプリントを行う手順としているが、画像確認の後、写真撮影のやり直し、別の画像データの選択し直し、及び画像の合成やレイアウトの修正を可能とする手順としても良い。
【００５１】
図７は、注文受付ＩＤについて説明するための図である。
注文受付ＩＤは、ユーザがサーバ２００に対し画像データ及びプリント条件を送信した後に、サーバ２００の注文受付ＩＤ発行部２５０からカメラ付き携帯電話３００に向けて発行される。この注文受付ＩＤは、本実施の形態では、８ケタの番号Ｎ１〜Ｎ８で形成し、１ケタ目の番号Ｎ１は本プリントシステムに複数のベンダー（売り主）が存在するときにベンダーが区別できるようなベンダーコードとし、２ケタ目の番号Ｎ２から７ケタ目の番号Ｎ７で形成する番号をプリント注文に対応する独自の番号、８ケタ目の番号Ｎ８をチェックディジットとして設定している。チェックディジットである８ケタ目の番号Ｎ８は、証明写真撮影装置１００の制御手段１９０が予め記憶手段１８０に保存されたチェック用のプログラムを呼び出してチェックするための番号である。
【００５２】
本実施の形態において、チェックディジットの構成は、以下に説明する通りである。例えば、８ケタ目の番号Ｎ８がチェックディジットに割り当てられ、このＮ８を除く１ケタ目の番号Ｎ１から７ケタ目の番号Ｎ７までの数字を、ある計算式で計算して、その計算結果がチェックディジットである番号Ｎ８に一致するか否かをチェックするようになされる。
【００５３】
また、注文受付ＩＤには、発行日付及び有効期限、または利用料金の情報を持たせることができる。
【００５４】
注文受付ＩＤ自体の容量を増やす手段として、数字以外に英字またはバーコードを用いることも可能である。但し、この場合、英字またはバーコードを用いたケタには上記のチェックディジットは適用できなくなる。
【００５５】
一方、ユーザが証明写真撮影装置１００の入力手段１２０から注文受付ＩＤを入力する他の実施の形態として、カメラ付き携帯電話３００の表示部（不図示）を用いて直接入力する方式がある。この方式では、図４及び図５の入力手段に、テンキーやタッチパネル等の他に、読取装置（不図示）を配設することが必要である。注文受付ＩＤの入力は、カメラ付き携帯電話３００の表示部に注文受付ＩＤを表示したまま、当該表示部を前記読取装置に近づけて直接注文受付ＩＤを読み取らせることにより行われる（図１に破線で示す）。
【００５６】
更に、ユーザが証明写真撮影装置１００の入力手段１２０から注文受付ＩＤを入力する他の実施の形態として、赤外線通信を用いた入力方式がある。この方式では、証明写真撮影装置１００に赤外線通信装置を配設し、赤外線通信機能を有する、カメラ付き通信装置または携帯電話機から注文受付ＩＤに対応する画像データを証明写真撮影装置１００の前記赤外線通信装置に赤外線送信し、証明写真撮影装置１００の表示手段１３０またはプリント手段１５０にダウンロードする。
【００５７】
【発明の効果】
大規模なメモリ容量を有するサーバに画像データの拡大・縮小、または合成などの画像処理の機能を持たせることにより、プリント装置（証明写真撮影装置）の機能を少なくし、プリント装置の制御部のメモリ容量を小さくすることができ、プリント装置のコスト低減が可能になると共に、プリント装置の操作時間が短縮され、かつ、プリント装置制御部のメモリ内に記憶されたプログラムを呼び出す時間も短縮される。
【００５８】
また、ユーザがプリント装置から、画像データの拡大・縮小、または合成などの画像処理を行う必要が無くなり、注文受付ＩＤを入力するだけで所望の画像が得られるため、一人のユーザがプリント装置を占有する時間が短くなり、プリント装置の利用回転効率が良くなると共に、個人情報のプライバシーが侵害されにくいという利点もある。
【００５９】
更に、注文受付ＩＤにチェックディジットを設けたことにより、極めて短時間に入力ミスのチェックができる。
【００６０】
また、注文受付ＩＤに、発行日付及び有効期限の情報を持たせることにより、プリントシステムに過度の記憶容量を持たせることを防止し、資金の回収を早めるという利点がある。更に、注文受付ＩＤに利用料金の情報を持たせることにより、ユーザが証明写真撮影装置１００に注文受付ＩＤを入力し料金を支払うと直ぐに料金の過不足が判明するため、無駄な待ち時間や誤った送受信を防止することができる。
【００６１】
更に、注文受付ＩＤの入力をカメラ付き携帯電話３００の表示部から証明写真撮影装置１００の読取装置に近づけて直接注文受付ＩＤを読み取らせる方式を用いることにより、入力操作の更なる簡略化とミス防止とが達成できる。
【００６２】
更にまた、証明写真撮影装置１００に赤外線通信装置を配設し、赤外線通信機能を有する、カメラ付き通信装置または携帯電話機から注文受付ＩＤに対応する画像データを証明写真撮影装置１００に赤外線送信する方式を用いることにより、証明写真撮影装置１００の入力手段１２０を用いずに、カメラ付き通信装置または携帯電話機から直接証明写真撮影装置１００に入力できるという利点がある。
【図面の簡単な説明】
【図１】本発明の実施の形態に係わるプリントシステムの一例を示すブロック図である。
【図２】本発明に係るサーバの構成を説明するためのブロック図である。
【図３】カメラ付き携帯電話とサーバとの間における画像データ及び信号の送受信についての動作を説明するためのフローチャートである。
【図４】本発明に係るプリント装置の実施の形態として、証明写真撮影装置の概略の構成を示す正面断面図である。
【図５】本発明の実施の形態に係わる証明写真撮影装置の電気的な構成を示すブロック図である。
【図６】本発明の実施の形態に係わる証明写真撮影装置の主要動作のフローチャートである。
【図７】注文受付ＩＤについて説明するための図である。
【符号の説明】
１００  プリント装置（証明写真撮影装置）
１１０  撮影手段
１２０  入力手段
１３０  表示手段
１４０  料金支払い手段
１５０  プリント手段
１６０  通信手段
１７０  音声手段
１８０  記憶手段
１９０  制御手段
２００  サーバ
２１０  サーバ送受信部
２２０  データ圧縮伸長部
２３０  メモリ部
２４０  画像処理部
２５０  注文受付ＩＤ発行部
２６０  サーバ制御部
３００  カメラ付き携帯電話
【図１】
2004240737.tif 000003
【図２】
2004240737.tif 000004
【図３】
2004240737.tif 000005
【図４】
2004240737.tif 000006
【図５】
2004240737.tif 000007
【図６】
2004240737.tif 000008
【図７】
2004240737.tif 000009